(57)【要約】【課題】雨水を有効利用するための十分な貯溜量を簡易な施行で確保することのできる雨水貯溜配管構造を提供する。【解決手段】雨水桝Ｓ１を起点とした配管設備の内部に雨水を貯溜する雨水貯溜配管構造であって、起点となる雨水桝Ｓ１と、雨水桝Ｓ１に一端が接続された貯溜管路２と、を備え、貯溜管路２の他端は、該雨水桝Ｓ１に接続されているか、又は、閉塞された構成とする。雨水を貯溜するための貯溜管路２の一端が、起点となる雨水桝Ｓ１に接続されているので、雨水桝Ｓ１に雨水が流入すると、その雨水は貯溜管路２へ流入し、雨水桝Ｓ１と貯溜管路２全体が雨水を貯溜するための貯溜スペースとなる。このように通常の排水管路とは別に、雨水を貯溜するための貯溜管路２を設けることで、従来の構造よりも遥かに多くの雨水貯溜量を確保することができる。【選択図】図１
2014009458.tif 000002
【特許請求の範囲】
【請求項１】
雨水桝を起点とした配管設備の内部に雨水を貯溜する雨水貯溜配管構造であって、
起点となる雨水桝と、雨水桝に一端が接続された貯溜管路と、を備え、
貯溜管路の他端は、該雨水桝に接続されているか、又は、閉塞されていることを特徴とする雨水貯溜配管構造。
【請求項２】
雨水桝に流出排水管路が接続されており、その接続箇所が、貯溜管路の接続箇所よりも高い位置にあることを特徴とする請求項１に記載の雨水貯溜配管構造。
【請求項３】
貯溜管路に勾配が設けられていることを特徴とする請求項１又は請求項２に記載の雨水貯溜配管構造。
【請求項４】
勾配が設けられた貯溜管路の最も高い箇所に通気手段を設けたことを特徴とする請求項３に記載の雨水貯溜配管構造。
【発明の詳細な説明】
【技術分野】
【０００１】
本発明は、宅地内に埋設された配管設備の内部に雨水を貯溜することで、集中豪雨時の河川や下水道施設への負荷を低減させると共に、その貯溜した雨水を有効利用できるようにした雨水貯溜配管構造に関するものである。
【背景技術】
【０００２】
近年、道路や空き地（駐車場等）の舗装化が急速に進み、未舗装部分が殆どない都市化の進んだ地域が増えてきている。このような地域では、雨水が殆ど地中に浸透することなく、道路の側溝や下水道排水管などを通じて河川へ流れ込むため、短時間で河川の容量を超えて所謂、都市型洪水を引き起し、社会問題となってきている。その一方で、乾期には雨が殆ど降らず、各地で取水制限が実施されている実態がある。これらの問題は、地球温暖化が要因とも言われる昨今の異常気象に伴い、これから益々深刻化していくものと思われる。
【０００３】
このような問題を緩和するため、宅地内に埋設された配管設備に雨水を一定量貯溜することで、河川や下水道施設への負荷を低減させると共に、その貯溜した雨水を植物の水やりや車の洗車等に有効利用する試みが実施されている。
【０００４】
その一つに、敷地内に埋設された横排水管に、建物に降雨した雨水を集水する集水部と、公共の下水道施設に繋がる受水槽が接続された雨水排水構造が提案されている（特許文献１）。
【０００５】
この特許文献１の雨水排水構造は、受水槽と公共の下水道施設を繋ぐ排水管の位置を、横排水管よりも高くすることで、集水部より横排水管を経由して受水槽に流入してきた雨水は、該排水管の接続箇所に水位が達するまで排水管から排水されず、これによって、横排水管及び受水槽を、雨水を一定量貯溜可能な貯水部としたものである。
【先行技術文献】
【特許文献】
【０００６】
【特許文献１】特開２０１１−０３８２９５号公報
【発明の概要】
【発明が解決しようとする課題】
【０００７】
しかしながら、上記特許文献１の雨水排水構造は、雨水を貯溜するスペースが横排水管と受水槽だけなので、集水部から受水槽までの距離が短い場合などは、雨水利用としての十分な雨水量を確保することが困難であった。
【０００８】
本発明は上記の問題に鑑みてなされたもので、その解決しようとする課題は、雨水を有効利用するための十分な貯溜量を簡易な施行で確保することのできる雨水貯溜配管構造を提供することにある。
【課題を解決するための手段】
【０００９】
上記目的を達成するため、本発明に係る雨水貯溜配管構造は、雨水桝を起点とした配管設備の内部に雨水を貯溜する雨水貯溜配管構造であって、起点となる雨水桝と、雨水桝に一端が接続された貯溜管路と、を備え、貯溜管路の他端は、該雨水桝に接続されているか、又は、閉塞されていることを特徴とするものである。
【００１０】
本発明の雨水貯溜配管構造においては、雨水桝に流出排水管路が接続されており、その接続箇所が、貯溜管路の接続箇所よりも高い位置にあることが好ましい。また、貯溜管路に勾配が設けられていることが好ましく、勾配が設けられた貯溜管路の最も高い箇所に通気手段を設けることがより好ましい。
【発明の効果】
【００１１】
本発明の雨水貯溜配管構造は、雨水を貯溜するための貯溜管路の一端が、起点となる雨水桝に接続されているので、雨水桝に雨水が流入すると、その雨水は貯溜管路へ流入するようになっている。貯溜管路のもう一端は、再び雨水桝に接続されるか、又は、閉塞されているので、この雨水桝と貯溜管路全体が雨水を貯溜するための貯溜スペースとなる。このように、建物や敷地内に降雨した雨水を公共の排水設備へと排水する通常の排水管路とは別に、雨水を貯溜する専用の貯溜管路を設けることで、既存の排水管路に干渉されない自由度の高い配管が可能となり、植物の水やりや車の洗車等に必要な充分量の雨水を効率良く貯溜することができるようなる。
勿論、起点となる雨水桝に、宅地内に埋設された通常の排水管路を接続することも可能であり、このように起点となる雨水桝に通常の排水管路を接続すると、建物や敷地内に降雨した雨水をより効率良く貯溜することができるようになるので、短い時間で貯溜管路に規定量の雨水を貯溜することが可能となる。この場合も、通常の排水管路とは別に、雨水を貯溜するための貯溜管路が存在するので、通常の排水管路のみを貯溜スペースとした従来の構造と比べると、遥かに多くの雨水貯溜量を確保することができる。
このように本発明の雨水貯溜配管構造は、建物や敷地内に降雨した雨水を専用の貯溜管路に貯溜することで、都市型洪水の軽減に寄与すると共に、雨水を有効利用することで来るべき乾期に備えることができる。
【００１２】
また、雨水桝に流出排水管路が接続されており、その接続箇所が、貯溜管路の接続箇所よりも高い位置にある雨水貯溜配管構造は、貯溜管路が満水になったときでも、流出排水管路がオーバーフロー部となって、雨水桝より雨水が地表に溢れ出すのを防止することができる。この流出排水管路の接続箇所は、貯溜管路の接続箇所よりも高い位置にあるので、貯溜管路に雨水が一定量貯溜されるまでは、流出排水管路より流出して貯溜管路に雨水が貯溜されないという心配もない。
【００１３】
更に、貯溜管路に勾配が設けられている雨水貯溜配管構造は、貯溜管路の一番高低が低い箇所に取水手段を設けることで、貯溜した雨水を最も効率良く取水することができる。
【００１４】
また、勾配が設けられた貯溜管路の最も高い箇所に通気手段を設けた雨水貯溜配管構造は、空気の逃げ道を設けることで貯溜管路内に空気が滞留するのを防止することができるため、雨水桝に流入した雨水は貯溜管路にスムーズに流入して、貯溜管路内の略全スペースを雨水を貯溜するための空間として利用することができる。
【図面の簡単な説明】
【００１５】
【図１】本発明の一実施形態に係る雨水貯溜配管構造を示す概略斜視図である。
【図２】同配管構造の概略平面図である。
【図３】同配管構造に用いる雨水桝に流出排水管路と流入管路と貯溜管路が接続されている状態を示す断面図である。
【図４】同配管構造の概略断面図である。
【図５】本発明の他の実施形態に係る雨水貯溜配管構造を示す概略平面図である。
【発明を実施するための形態】
【００１６】
以下、図面を参照して本発明の具体的な実施形態を詳述する。
【００１７】
本発明の雨水貯溜配管構造は、図１に示すように、雨水桝Ｓ１を起点とした配管設備（雨水桝Ｓ１及び貯溜管路２）の内部に雨水を貯溜することで、集中豪雨時の河川や下水道施設への負荷を低減させると共に、その配管内に貯溜した雨水を有効利用できるようにしたものである。
【００１８】
この起点となる雨水桝Ｓ１（以下、起点雨水桝Ｓ１という。）は、耐久性や施工性に優れる合成樹脂製の桝（例えばポリプロピレン製や塩化ビニル樹脂製の桝）であって、図３に示すように、その上端が開口し、下端が閉口したバケツ型をしている。この起点雨水桝Ｓ１の上端には、断面形状が略凹型の蓋受部１ａが外側に向って突設されており、その蓋受部１ａに蓋体１ｂが載置されている。この蓋体１ｂは、宅地内に降った雨水が起点雨水桝Ｓ１の内部に流入するように、複数の浸透孔１０ｂが穿孔されている。
【００１９】
また、この起点雨水桝Ｓ１の周面には、図２、図３に示すように、貯溜管路２の接続口１ｃ，１ｃと、流出排水管路３の接続口１ｄと、流入管路４の接続口１ｅの合計４つの接続口が設けられている。これらの接続口１ｃ，１ｃ，１ｄ，１ｅは、次のような関係になっている。即ち、貯溜管路２の接続口１ｃよりも流入管路４の接続口１ｅが高い位置にあり、流入管路４の接続口１ｅよりも流出排水管路３の接続口１ｄが高い位置にある（１ｃ≦１ｃ＜１ｅ＜１ｄ）。このような位置関係に接続口１ｃ，１ｃ，１ｄ，１ｅを設けることで、流入管路４や蓋体１ｂの浸透孔１０ｂから起点雨水桝Ｓ１に流入してきた雨水は、直ぐに流出排水管路３からは排出されずに、貯溜管路２へと流入して貯溜管路２内部に貯溜される。そして、貯溜管路２内部が満水になり、起点雨水桝Ｓ１内部の水位が流出排水管路３まで達すると、ようやく流出排水管路３より排出される。
尚、上記の接続口１ｃ，１ｃ，１ｄ，１ｅは、起点雨水桝Ｓ１と一体に設けられた接続口でもよいが、ここでは、ホールソーなどで起点雨水桝Ｓ１の周面に孔を穿孔することで設けられ、これら接続口１ｃ，１ｃ，１ｄ，１ｅの周面には、止水性を向上させる環状のシールパッキン１ｆが周設されている。このように孔を穿孔して接続口１ｃ，１ｃ，１ｄ，１ｅを設けることで、任意の箇所に接続口を設けることが可能となり、配管の自由度が向上するため施工性が良好なものとなる。
【００２０】
上記起点雨水桝Ｓ１の接続口１ｃに接続される雨水を貯溜するための貯溜管路２は、図２に示すように、複数の貯溜排水管２ａと、貯溜排水管２ａと貯溜排水管２ａとを接続する９０°屈曲した曲がり継手２ｂから構成されたもので、この貯溜排水管２ａは、通常の塩化ビニル樹脂製の円筒形のパイプが用いられている。また、曲がり継手２ｂは、９０°エルボ継手でもよいが、９０°エルボ継手を用いて貯溜排水管２ａを接続すると、曲率半径が大きくなって相応の配管スペースが必要となるため、Ｌ字継手やコの字継手等の曲がり継手２ａが用いられている。このように通常の配管設備に用いられる部材（貯溜排水管２ａ，曲がり継手２ｂ）で貯溜管路２を構成することで、専用品を用いなくとも雨水の貯溜が可能となり、その貯溜量も容易に変更することができる。
尚、本実施形態では、貯溜排水管２ａと貯溜排水管２ａを上記９０°屈曲した曲がり継手２ｂを用いて接続しているが、宅地内の配管経路の関係上、９０°の曲がり継手２ｂを用いるのが適当でない場合は、３０°の曲がり継手や４５°の曲がり継手を用いて、或いは、それらの曲がり継手と上記の９０°曲がり継手２ｂの双方を用いて貯溜管路２を形成すればよい。
【００２１】
前述したように、この貯溜管路２の一端（貯溜排水管２ａ）は上記起点雨水桝Ｓ１の貯溜管路２の接続口１ｃに接続されており、貯溜管路２の他端（貯溜排水管２ａ）も、曲がり継手２ｂによって屈曲しながら再び起点雨水桝Ｓ１のもうひとつの貯溜管路２の接続口１ｃに接続されている。そして、図４に示すように、この貯溜管路２には、起点雨水桝Ｓ１に向って若干の流れ勾配が設けられており、その勾配が設けられた貯溜管路２の最も高い箇所に地上と連通する通気手段２ｃ（パイプ）が設けられている。この流れ勾配は、貯溜管路２の一端（接続口１ｃ方向）及び他端（接続口１ｃ方向）の両方に向って設けられている（即ち接続口１ｃ，１ｃが同じ高さ）が、一方の接続口１ｃをもう一方の接続口１ｃよりも高くすることで、貯溜管路２の一端から他端に向けて流れ勾配を設けてもよい。このように貯溜管路２に流れ勾配を設けることで、起点雨水桝Ｓ１内部の雨水が減少すると、貯溜管路２に貯溜されている雨水が起点雨水桝Ｓ１に向って流れるので、起点雨水桝Ｓ１にポンプやバケツなどの取水手段（不図示）を設けることで、容易に取水できるようになり、その取水した雨水を植物の水やりや車の洗車等に有効利用することができる。また、その勾配が設けられた貯溜管路２の最も高い箇所に通期手段２ｃを設けることで、空気の逃げ道が確保されて貯溜管路２内部に空気が滞留するのを防止することができるため、起点雨水桝Ｓ１に流入した雨水は貯溜管路２にスムーズに流入して、貯溜管路２内の略全スペースに雨水を貯溜することが可能となる。
【００２２】
尚、上記貯溜管路２には、メンテナンスの際に利用する点検部（不図示）を設けることが好ましい。この点検部は、貯溜管路２の内部をメンテナンスできるのであればどのようなものでも構わないが、例えば、上部に点検口が設けられた略逆Ｔ字型のストレート桝を点検部とし、そのストレート桝の接続口に貯溜排水管２ａを接続すれば簡単に設置できると共に、点検口より貯溜管路２の内部をメンテナンスできるので好ましい。また、点検部を複数設けると、よりメンテナンス作業性が向上するので好ましく、この点検部を地上と連通させることで通期手段２ｃとしても利用することもできるようになる。
【００２３】
以上のような構成の起点雨水桝Ｓ１と貯溜管路２が埋設される宅地内には、図１に示すように、複数の雨水桝１と、それらを連結する流入管路４が埋設されている。宅地内に埋設された雨水桝１は、上記起点雨水桝Ｓ１と同様のもので、本実施形態では、これら複数の雨水桝１の中で、最も下流側に設置された雨水桝１を起点雨水桝Ｓ１として接続口１ｃ，１ｃを設け、その接続口１ｃ，１ｃに貯溜管路２の貯溜排水管２ａ，２ａを接続している。
【００２４】
また、流入管路４の上流側端部は竪樋６の下端部に接続されており、家屋の屋根７に降った雨水は、屋根７の周囲に設けられた軒樋５に流入して、竪樋６を経由することで流入管路４に流入するようになっている。起点雨水桝Ｓ１及び雨水桝１の上端開口を覆う蓋体１ｂには、多数の浸透孔１０ｂが穿孔されているので、宅地内の庭に降った雨水もその浸透孔１０ｂを通して起点雨水桝Ｓ１及び雨水桝１に流入するようになっている。このような配管設備において、一番下流側に位置する雨水桝１を起点雨水桝Ｓ１とすると、家屋の屋根７や宅地内に降った雨水が起点雨水桝Ｓ１に集中するので、最も短時間で雨水桝Ｓ１及び貯溜管路２に雨水を貯溜することができる。そして、起点雨水桝Ｓ１の接続口１ｄには、上記のように、流出排水管路３が接続されており、流出排水管路３は継手８を介して雨水排水本管９と接続されている。
【００２５】
このように本発明の雨水貯溜配管構造は、宅地内に埋設された通常の配管設備の他に専用の貯溜スペースを設けることで、相当量の雨水が貯溜可能となり、河川や下水道施設への負荷を低減して都市型洪水の軽減に寄与すると共に、その貯溜した雨水を植物の水やりや車の洗車等に有効利用することができるようになる。勿論、起点雨水桝Ｓ１及び貯溜管路２が満水になると、オーバーフローした雨水は流出排水管路３より雨水排水本管９へと排出されるので、宅地内の配管設備が雨水でパンクすることもない。
【００２６】
本発明の雨水貯溜配管構造は、起点雨水桝Ｓ１に載置された蓋体１ｂの浸透孔１０ｂからも雨水が流入するので、起点雨水桝Ｓ１に流入管路４を接続せずに、宅地内に埋設された配管設備とは別に、起点雨水桝Ｓ１と貯溜管路２を埋設して、その内部に雨水を貯溜するようにしてもよいが、流入管路４を接続することで、より短時間で起点雨水桝Ｓ１内部及び貯溜管路２内部に雨水を貯溜することができるので好ましい。また、貯溜排水管２ａの径や断面積を大きくしたり、貯溜排水管２ａの全長を長くしたりすることで、或いは、貯溜管路２の屈曲箇所を多くすることで、貯溜量を増やすことができるなど、種々の設計変更を許容し得るものである。
【００２７】
図５は本発明の他の実施形態に係る雨水貯溜配管構造を示す概略平面図である。
【００２８】
前述した図１〜図４に示す実施形態の雨水貯溜配管構造は、貯溜管路２の両端が起点雨水桝Ｓ１に接続されたものであったが、この図５に示す実施形態の雨水貯溜配管構造は、貯溜管路２の一端は起点雨水桝Ｓ１雨水桝に接続されているが、貯溜管路２の他端は、キャップ２ｄで蓋がされて閉塞している。
本実施形態の雨水貯溜配管構造のその他の構成は、前述した図１〜図４に示す雨水貯溜配管構造と同様であるので、同一部材に同一符号を附して説明を省略する。
【００２９】
この実施形態の雨水貯溜配管構造は、貯溜管路２の一端のみが起点雨水桝Ｓ１に接続されたものであるので、配管の自由度がより高く、少しの配管スペースがあれば実施できるので、宅地内に埋設された全ての雨水桝１を起点雨水桝Ｓ１とすることもできる。
【符号の説明】
【００３０】
Ｓ１  起点となる雨水桝
１    雨水桝
１ａ  蓋受部
１ｂ  蓋体
１０ｂ  浸透孔
１ｃ  接続口（貯溜管路）
１ｄ  接続口（流出排水管路）
１ｅ  接続口（流入管路）
１ｆ  シールパッキン
２    貯溜管路
２ａ  貯溜排水管
２ｂ  曲がり継手
２ｃ  通期手段
２ｄ  キャップ
３    流出排水管路
４    流入管路
５    軒樋
６    竪樋
７    家屋の屋根
８    継手
９    雨水排水本管
【図１】
2014009458.tif 000003
【図２】
2014009458.tif 000004
【図３】
2014009458.tif 000005
【図４】
2014009458.tif 000006
【図５】
2014009458.tif 000007